(57)【要約】      （修正有）【課題】ノイズを外部に漏出するのを防止可能な照明器具を提供する。【解決手段】被写体に照射される照明光を出射する光源５と、当該照明光の出射側に設けられる透明体１１と、当該透明体の周縁に取り付けられ、前記光源を覆うカバー部材１２とを備え、高周波、電磁波、又はマイクロ波のノイズを生じる照明器具において、前記透明体には、前記ノイズを遮蔽する遮蔽体３０が取り付けられ、前記遮蔽体は、メッシュ状に形成されたステンレス鋼からなるシート状の素材である。【選択図】図２
0003169032.tif 000002
【実用新案登録請求の範囲】
【請求項１】
被写体に照射される照明光を出射する光源と、前記光源の出射側に設けられる透明体と、当該透明体の周縁に取り付けられ、前記光源を覆うカバー部材と、を備え、高周波、電磁波、又はマイクロ波のノイズを生じる照明器具において、
前記透明体には、前記ノイズを遮蔽する遮蔽体が取り付けられ、
前記遮蔽体は、メッシュ状に形成されたステンレス鋼からなるシート状の素材であることを特徴とする照明器具。
【請求項２】
前記透明体は２枚の透明部材を重ね合わせて構成され、
前記遮蔽体は、２枚の前記透明部材間に挟み込まれて配置されることを特徴とする請求項１に記載の照明器具。
【請求項３】
前記カバー部材には、熱放出用の孔部が形成されており、前記孔部には、前記遮蔽体が取り付けられていることを特徴とする請求項１、又は請求項２に記載の照明器具。
【請求項４】
前記遮蔽体は、前記カバー部材及び透明体の外面、又は内面を覆うように配置されていることを特徴とする請求項１乃至３のいずれか一項に記載の照明器具。
【請求項５】
前記遮蔽体は、前記カバー部材と透明体の夫々に取り付けられており、当該カバー部材と透明体の連結部分において、夫々の遮蔽体が重なり合うように配置されることを特徴とする請求項４に記載の照明器具。
【考案の詳細な説明】
【技術分野】
【０００１】
本考案は照明器具に関し、特に照明器具から放出されるマイクロ波、高周波、電磁波が外部に漏出するのを抑止する照明器具に関する。
【背景技術】
【０００２】
従来から、蛍光灯や放電ランプと称される照明器具、又はプラズマを利用した照明器具が知られている。
【０００３】
蛍光灯はその本体、及び安定回路から電磁波が、放電ランプは高周波やマイクロ波が、プラズマを利用した照明器具ではマイクロ波が発生することが知られている。
【０００４】
このような照明器具では、当該マイクロ波、高周波、電磁波等（以下、「ノイズ」と称する。）がなるべく外部に漏出しないように、ケース本体をシールド構造とするなどの対策が施されている。また、高周波をシールドする方法として、高周波を発生する素子等を金属板や金属ケースで囲むなどの対策が知られている（特許文献１）。
【先行技術文献】
【特許文献】
【０００５】
【特許文献１】特許第３８２１６３０号公報
【考案の概要】
【考案が解決しようとする課題】
【０００６】
上記従来の照明器具において、照明光の出射側には、ノイズ対策がなされていないため、少なからずノイズが外部に漏出しているのが現状である。
【０００７】
このような照明器具から漏れ出るノイズは、近年の通信機器の発達によって、影響を与える場合があり、例えば、無線ＬＡＮにおいて、設定されるチャンネルが１３ＣＨ、又は１４ＣＨを固定で用いる場合に照明器具から生じるマイクロ波が干渉し、無線ＬＡＮ機器の近くに設置すると不具合が生じることがあった。
【０００８】
そこで本考案は、ノイズを外部に漏出するのを防止可能な照明器具を提供することを目的とする。
【課題を解決するための手段】
【０００９】
以下、本考案について説明する。なお、本考案の理解を容易にするために添付図面の参照符号を括弧書きにて付記するが、それにより本考案が図示の形態に限定されるものではない。
【００１０】
請求項１に記載の照明器具は、被写体に照射される照明光を出射する光源（５）と、当該照明光の出射側に設けられる透明体（１１）と、当該透明体の周縁に取り付けられ、前記光源を覆うカバー部材（１２）と、を備え、高周波、電磁波、又はマイクロ波のノイズを生じる照明器具（２）において、前記透明体には、前記ノイズを遮蔽する遮蔽体（３０）が取り付けられ、前記遮蔽体は、メッシュ状に形成されたステンレス鋼からなるシート状の素材であることを特徴とする。
【００１１】
また、請求項２に記載の照明器具は、請求項１に記載の照明器具において、前記透明体は２枚の透明部材（１１ａ）を重ね合わせて構成され、前記遮蔽体は、２枚の前記透明部材間に挟み込まれて配置されることを特徴とする。
【００１２】
また、請求項３に記載の照明器具は、請求項１、又は請求項２に記載の照明器具において、前記カバー部材には、熱放出用の孔部（２４）が形成されており、前記孔部には、前記遮蔽体が取り付けられていることを特徴とする。
【００１３】
また、請求項４に記載の照明器具は、請求項１乃至３のいずれか一項に記載の照明器具において、前記遮蔽体は、前記カバー部材及び透明体の外面、又は内面を覆うように配置されていることを特徴とする。
【００１４】
また、請求項５に記載の照明器具は、請求項４に記載の照明器具において、前記遮蔽体は、前記カバー部材と透明体の夫々に取り付けられており、当該カバー部材と透明体の連結部分において、夫々の遮蔽体が重なり合うように配置されることを特徴とする。
【考案の効果】
【００１５】
本考案は、ノイズの外部への漏出を防止できる。
【図面の簡単な説明】
【００１６】
【図１】マイクロ波を利用した照明器具の外観図である。
【図２】照明器具の構成図である。
【図３】図２のＡ部分拡大図であってノイズ遮蔽体の取付形態を説明するための図である。
【図４】ノイズ遮蔽体の他の取付形態を説明するための図である。
【図５】ノイズ遮蔽体の他の取付形態を説明するための図である。
【考案を実施するための形態】
【００１７】
以下、本考案である照明器具に係る実施の形態について詳細に説明する。図１はマイクロ波を利用した照明器具の外観図を示し、図２は照明器具の構成図、図３は図２のＡ部分拡大図であってノイズ遮蔽体の取付形態を説明するための図、図４は他のノイズ遮蔽体の取付形態を説明するための図、図５は他のノイズ遮蔽体の取付形態を説明するための図を示す。
【００１８】
図１及び図２に示すように、本実施形態の照明器具２は、一般的に投光器と称される照明器具であって、電場によってプラズマを形成し、照明光としての光を放出する発光物質が封入されたバルブにマイクロ波を利用して電磁場を形成することで光を発生させ、当該光を被写体に対して出射する光源部５（本願の光源）を備えている。この発光物質としては、電場によってプラズマを形成して、可視光線などの光を放射する金属、ハロゲン族化合物、硫黄、及びセレニウムなどが用いられる。また、発光物質が封入される空間内には、発光物質と一緒に初期点灯をするためにアルゴン、キセノン、及びクリプトン等で構成されたバッファーガスと、水銀のように初期放電をサポートして点灯を容易にしたり、発生される光の特性を調節するための放電触媒物質などが一緒に封入される。なお、このようなプラズマを利用した照明器具は、既に公知であるため、基本的な構造及びその作用についての説明は省略するものとする。
【００１９】
図２に示すように、光源部５は、容器体７の内部に設けられる。この容器体７は、光源部５によって出射される光の出射側に配置されるガラス製の素材によって形成された透明な照射面体１１（本願の透明体）と、その照射面体１１の周縁に取り付けられ、前記光源部５を覆う略筒状に形成された金属製のケース１２（本願のカバー部材）と、を備えている。よって、光源部５は、当該容器体７によって四方を囲まれ、当該光源部５から出射される光は照射面体１１を透過して外部へと放射される。
【００２０】
また、当該容器体７は、基台３上に回転可能に取り付けられたステー４によって支持される。また、容器体７はステー４によって上下に回動可能に支持されている。よって、容器体７は光の照射方向を自由に変更することが可能である。
【００２１】
図１及び図３に示すように、照射面体１１は、その周縁を覆うように形成された枠体１３を備えている。枠体１３には、固定具１４を取り付けるための孔部１４ａが４つの角部に形成される一方で、当該枠体１３と向き合うケース１２の開口端面にも、当該孔部１４ａに対応する孔部１２ａが形成されており、この孔部１２ａ、１４ａにネジ等の固定具１４が取り付けられ、ケース１２と照射面体１１とは着脱可能に連結される。
【００２２】
また、枠体１３には、ケース１２の開口部の周縁内周部に重なり合うフランジ状の凸状部１６が形成されており、この凸状部１６がケース１２の開口部に嵌まり込むようになっている。この凸状部１６の外側外面には、リング状の溝１７が形成されており、この溝１７には、ゴムなどの環状の弾性部材１８が嵌り込んで配置される。
【００２３】
一方でケース１２の開口端面には、リング状の溝２１が形成されており、この溝２１には、ゴムなどの環状の弾性部材２２が嵌り込んで配置される。
【００２４】
そして、ケース１２と枠体１３とは、全周に亘ってこの弾性部材１８、２２と固定具１４によって密着し、枠体１３はケース１２に対して気密に取り付けられる。
【００２５】
また、図１に示すように、ケース１２の後部には内部の熱を外部に放出するための孔部２４が例えば、スリット状に複数形成されている。
【００２６】
また、図２に示すように、本実施形態の照明器具２において、照射面体１１の裏面、及びケース１２の内面には、全面にわたってノイズを遮断するノイズ遮蔽体３０（本願の遮蔽体）が取り付けられる。このノイズ遮蔽体３０は、直径が０．３ｍｍのステンレス鋼がメッシュ状に形成されたシート状の素材（生地）である。
【００２７】
このノイズ遮蔽体３０は、照射面体１１の裏面、及びケース１２の内面において密着するように取り付けられる。また、照射面体１１とケース１２とが組み合わされた時に、その連結部分において、夫々の部材に取り付けられたノイズ遮蔽体３０が直接、重ね合わさるようにして配置されるように取り付けられる。例えば、図３に示すように、照射面体１１に取り付けられるノイズ遮蔽体３０は、その端部が照射面体１１の端部を超えて凸状部１６に沿ってその外面に形成された溝１７に至るまで取り付けられ、端部が弾性部材１８によって溝１７に押し付けられて固定される。なお、凸状部１６の内面にはゴムなどの環状の弾性部材２６が配置され、ノイズ遮蔽体３０を凸状部１６と弾性部材２６とで挟持して保持する。
【００２８】
一方、ケース１２に取り付けられるノイズ遮蔽体３０は、その端部がケース１２の開口端面に形成された溝２１において、弾性部材２２によって溝２１に押し付けられて固定される。なお、ケース１２内面に沿って配置されるノイズ遮蔽体３０は、撓まないように貼着又は磁性体などによってケース１２の内面に固定される。
【００２９】
このようにノイズ遮蔽体３０を配置することにより、ケース１２と枠体１３とが分割可能であっても、この連結部分において、ノイズ遮蔽体３０が重ね合わさるように密着して配置されるので、ノイズが連結部分から外部に漏出することを防止することが可能となる。また、ノイズ遮蔽体３０を照射面体１１に取り付けると、照明の明るさを損なうことが懸念されるものの、実験の結果、ほとんどその明るさが変わらないことを確認できた。
【００３０】
また、図４に示すように、照射面体１１が２枚のガラス体１１ａ、１１ａ（本願の透明部材）を重ね合わせて構成している場合には、ノイズ遮蔽体３０は、そのガラス体１１ａ間に挟みこむように配置されることが好ましい。また、この場合には、ノイズ遮蔽体３０の端部を凸状部１６に沿ってその外面に形成された溝１７に至るまで取り付け、端部が弾性部材１８によって溝１７に固定されるように配置される。
【００３１】
さらに、図５に示すように、ノイズ遮蔽体３０は、照射面体１１の表面、及びケース１２の外面の全面にわたって取り付けても構わない。
【００３２】
この場合には、図５に示すように、ノイズ遮蔽体３０は、その端部が照射面体１１の端部を超えて枠体１３の外側に沿って配置されるとともに、凸状部１６に沿ってその外面に形成された溝１７に至るまで取り付けられ、端部が弾性部材１８によって溝１７に固定されるように配置される。なお、この場合には、凸状部１６の外面にはゴムなどの環状の弾性部材２８が配置され、ノイズ遮蔽体３０を凸状部１６と弾性部材２８とで挟持して保持する。
【００３３】
一方、ケース１２に取り付けられるノイズ遮蔽体３０は、ケース１２の外側を覆うように配置され、その端部が開口端面に形成された溝２１において、弾性部材２２によって固定されるように配置される。なお、ケース１２の外面に沿って配置されるノイズ遮蔽体３０は、撓まないように貼着又は磁性体などによってケース１２の外面に固定される。
【００３４】
なお、本実施形態のノイズ遮蔽体は、上記実施形態のプラズマを利用した照明器具の他に、高周波エネルギーによって放電発光させる放電ランプや電磁波を発生させる蛍光灯などにも用いることが可能である。また、蛍光灯の場合は、蛍光灯の放電を開始し、また放電の安定を維持する蛍光灯安定器をケース内に配置してノイズ遮蔽体３０によって全体を覆う必要がある。
【００３５】
また、本実施形態では、照明器具全体をノイズ遮蔽体で覆うようになっているが、ケース本体がノイズを遮蔽する部材などによって構成されている場合には、照射面体１１にのみノイズ遮蔽体を取り付ければ良い。この場合にも、ノイズ遮蔽体の端部がケースと接触するように構成することが好ましい。
【００３６】
また、本実施形態では、枠体１３に形成された凸状部１６をケース１２の開口部に嵌め込むように構成しているが、当該凸状部１６を取り除き、単に枠体１３とケース１２の開口部を突き合わせて固定する形態であっても構わない。さらに、本実施形態では枠体１３を介して照射面体１１とカバー１２とを連結可能に構成しているが、照射面体１１を、直接カバー１２の開口端部に嵌めこむように構成しても構わない。
【符号の説明】
【００３７】
２          照明器具
５          光源部
１１          照射面体
１２          カバー
３０          ノイズ遮蔽体
【図１】
0003169032.tif 000003
【図２】
0003169032.tif 000004
【図３】
0003169032.tif 000005
【図４】
0003169032.tif 000006
【図５】
0003169032.tif 000007